(57)【要約】【課題】改良されたリソグラフィスペクトルを提供する。【解決手段】光軸に沿って続けて生じる位置に配置される第１フィルタ要素および第２フィルタ要素を含むリソグラフィスペクトル純度フィルタが開示される。第１フィルタ要素は、第１方向に配置されたスリットを有する。第２フィルタ要素は、第１方向に対して横断する第２方向に配置されたスリットを有する。このスペクトルフィルタは、第１波長の放射は反射し、第２波長の放射は透過可能とすることにより放射ビームのスペクトル純度を高めるように構成され、このとき第１波長は第２波長より大きい。【選択図】  図３
2010541234.tif 000002
【特許請求の範囲】
【請求項１】
リソグラフィスペクトルフィルタであって、
第１方向に配置された面内長さ寸法を有するスリットを含む第１フィルタ要素と、
第１および第２波長の放射の光路に沿って前記第１フィルタ要素に続く位置に配置された第２フィルタ要素であって、前記第１方向に対して横断する第２方向に配置された面内長さ寸法を有するスリットを含む、第２フィルタ要素と、
を含み、
前記スペクトルフィルタは、第１波長の放射は反射し、第２波長の放射は透過可能とし、前記第１波長は前記第２波長より大きい、リソグラフィスペクトルフィルタ。
【請求項２】
第１および第２フィルタ要素の前記スリットは、前記第１放射波長により決められる回折限界より小さい最小面内アパーチャ寸法を有する、請求項１に記載のリソグラフィスペクトルフィルタ。
【請求項３】
前記第１フィルタ要素は、複数のスリットを含む、請求項１に記載のリソグラフィスペクトルフィルタ。
【請求項４】
前記第１フィルタ要素の前記スリットによって形成される面積と、前記第１フィルタ要素の総表面積とで形成されるアスペクト比は、約３０％より小さい、請求項３に記載のリソグラフィスペクトルフィルタ。
【請求項５】
前記第２フィルタ要素は、複数のスリットを含む、請求項１に記載のリソグラフィスペクトルフィルタ。
【請求項６】
前記第２フィルタ要素の前記スリットによって形成される面積と、前記第２フィルタ要素の総表面積とで形成されるアスペクト比は、約３０％より小さい、請求項５に記載のリソグラフィスペクトルフィルタ。
【請求項７】
前記第１および／または前記第２フィルタ要素の前記スリットは、０．５〜５μｍの範囲から選択される幅を有する、請求項１に記載のリソグラフィスペクトルフィルタ。
【請求項８】
前記スペクトルフィルタは、ＤＵＶ放射、ＵＶ放射、可視光放射、およびＩＲ放射の任意の組み合わせをフィルタリングする、請求項１に記載のリソグラフィスペクトルフィルタ。
【請求項９】
前記第１および／または前記第２フィルタ要素は、ＥＵＶ放射導波管を更に含む、請求項１に記載のリソグラフィスペクトルフィルタ。
【請求項１０】
前記第１および／または前記第２フィルタ要素は、パターン付き層とパターン無し層との組み合わせを含み、前記パターン付き層は前記スリットを含む、請求項１に記載のリソグラフィスペクトルフィルタ。
【請求項１１】
少なくとも１つのかすめ入射ミラーと組み合わされる、請求項１に記載のリソグラフィスペクトルフィルタ。
【請求項１２】
前記スペクトルフィルタは、約４〜２０ｎｍの範囲から選択される波長を有するＥＵＶ放射を透過する、請求項１に記載のリソグラフィスペクトルフィルタ。
【請求項１３】
前記第１および前記第２フィルタ要素は、前記光路に沿って続いて生じる位置で横断するように配置される、請求項１に記載のリソグラフィスペクトルフィルタ。
【請求項１４】
放射ビームを調整する照明システムと、
前記放射ビームの断面にパターンを付与してパターン付き放射ビームを形成するパターニングデバイスを支持するサポートと、
基板を保持する基板テーブルと、
前記パターン付き放射ビームを前記基板のターゲット部分上に投影する投影システムと、
リソグラフィスペクトルフィルタであって、
第１方向に配置された面内長さ寸法を有するスリットを含む第１フィルタ要素と、
第１および第２波長の放射の光路に沿って前記第１フィルタ要素に続く位置に配置された第２フィルタ要素であって、前記第１方向に対して横断する第２方向に配置された面内長さ寸法を有するスリットを含む、第２フィルタ要素と、
を含み、
前記スペクトルフィルタは、第１波長の放射は反射し、第２波長の放射は透過可能とし、前記第１波長は前記第２波長より大きい、リソグラフィスペクトルフィルタと、
を含む、リソグラフィ装置。
【請求項１５】
第１波長の放射を反射し、第２波長の放射はスペクトルフィルタアセンブリを透過可能とすることによって放射ビームのスペクトル純度を高める方法であって、前記第１波長は前記第２波長より大きく、第１ステップでは、第１偏光を有する前記第１波長の放射が反射され、第２ステップでは、前記第１偏光に対して横断する第２偏光を有する前記第１波長の放射が反射される、方法。
【請求項１６】
デバイス製造方法であって、
パターン付き放射ビームを基板のターゲット部分上に投影することと、
第１波長の放射を反射し、第２波長の放射はスペクトルフィルタアセンブリを透過可能とすることによって放射ビームのスペクトル純度を高めることと、
を含み、前記第１波長は前記第２波長より大きく、第１ステップでは、第１偏光を有する前記第１波長の放射が反射され、第２ステップでは、前記第１偏光に対して横断する第２偏光を有する前記第１波長の放射が反射される、方法。
【請求項１７】
方法によって製造されたデバイスであって、前記方法は、
パターン付き放射ビームを基板のターゲット部分上に投影することと、
第１波長の放射を反射し、第２波長の放射はスペクトルフィルタアセンブリを透過可能とすることによって放射ビームのスペクトル純度を高めることと、
を含み、前記第１波長は前記第２波長より大きく、第１ステップでは、第１偏光を有する前記第１波長の放射が反射され、第２ステップでは、前記第１偏光に対して横断する第２偏光を有する前記第１波長の放射が反射される、デバイス。
【請求項１８】
前記デバイスは、集積回路、集積光学システム、磁気ドメインメモリ用のガイダンスおよび検出パターン、液晶ディスプレイ、および薄膜磁気ヘッドを含む群から選択される、請求項１７に記載のデバイス。
【発明の詳細な説明】
【技術分野】
【０００１】
[0001]  本発明は、スペクトルフィルタ、そのスペクトルフィルタを含むリソグラフィ装置、デバイス製造方法、およびその方法により製造されたデバイスに関する。
【背景技術】
【０００２】
[0002]  リソグラフィ装置は、所望のパターンを基板上、通常、基板のターゲット部分上に付与する機械である。リソグラフィ装置は、例えば、集積回路（ＩＣ）の製造に用いることができる。その場合、ＩＣの個々の層上に形成される回路パターンを生成するために、マスクまたはレチクルとも呼ばれるパターニングデバイスを用いることができる。このパターンは、基板（例えば、シリコンウェーハ）上のターゲット部分（例えば、ダイの一部、または１つ以上のダイを含む）に転写することができる。通常、パターンの転写は、基板上に設けられた放射感応性材料（レジスト）層上への結像によって行われる。一般には、単一の基板が、連続的にパターニングされる隣接したターゲット部分のネットワークを含んでいる。公知のリソグラフィ装置としては、ターゲット部分上にパターン全体を一度に露光することにより各ターゲット部分を照射するいわゆるステッパ、および放射ビームによってある特定の方向（「スキャン」方向）にパターンをスキャンすると同時に、この方向に平行または逆平行に基板をスキャンすることにより各ターゲット部分を照射するいわゆるスキャナが含まれる。パターンを基板上にインプリントすることにより、パターニングデバイスから基板にパターンを転写することも可能である。
【０００３】
[0003]  リソグラフィを用いて作成されるフィーチャの寸法が小さくなるにつれ、リソグラフィは、小型ＩＣまたは他のデバイスおよび／もしくは構造を製造可能とするためにより重要な要素となってきている。
【０００４】
[0004]  パターンプリンティングの限界の理論推定値は、式（１）に示されるような解像度についてのレイリー（Rayleigh）基準によって与えることができる：
【数１】
2010541234.tif 000003
ここで、λは用いられる放射の波長であり、ＮＡＰＳはパターンをプリントするために用いられる投影システムの開口数であり、ｋ１は、レイリー定数とも呼ばれる、プロセス依存型調節係数であり、ＣＤはプリントされたフィーチャのフィーチャサイズ（またはクリティカルディメンション）である。式（１）から、フィーチャの最小プリント可能サイズの縮小は、３つの方法、すなわち、露光波長λを短くすること、開口数ＮＡＰＳを大きくすること、またはｋ１の値を小さくすることによって得ることができることが分かる。
【０００５】
[0005]  露光波長を短くする、したがって最小プリント可能なサイズを縮小するために、極端紫外線（ＥＵＶ）（時に軟Ｘ線と呼ばれる）を使用することが提案されている。ＥＵＶ放射源は、約１３ｎｍの放射波長、すなわちＥＵＶ放射範囲内の波長を出力するように構成される。ＥＵＶ放射源は、小さいフィーチャのプリンティングの実現に向けて重要なステップを構成しうる。このような放射の可能な放射源としては、例えば、レーザ生成プラズマ源、放電プラズマ源、または電子蓄積リングからのシンクロトロン放射が挙げられる。
【０００６】
[0006]  ＥＵＶ放射リソグラフィにおいて用いられる放射源は、ＥＵＶ放射に加えて、異なる波長の放射をさらに放出しうる。この非ＥＵＶ放射はＥＵＶ放射リソグラフィシステムに有害であることがあり、ＥＵＶ放射ビームを調整するように用いられる照明システムおよび該ビームを基板上に投影するように用いられる投影システムといった放射源の下流の光路内に入らないようにされることが望ましい。したがって、ＥＵＶ放射源から到来する放射に対しスペクトルフィルタリングを与えることが望ましい。
【０００７】
[0007]  ブレーズド回折格子に基づいたスペクトルフィルタは既知である。この回折格子は、三角形状のパターンの表面品質が非常に高くなくてはならないので製造するのが難しい。表面のラフネスは、１ｎｍＲＭＳより低くあるべきである。さらにデブリ軽減スキームを利用して放射源から発生するデブリを抑制する。しかし、デブリ軽減は、フォイルトラップおよび／またはガスバッファといったデブリ軽減方法が効果的なデブリ防御を保証しないことがあるので問題となることがある。さらに、ＥＵＶ放射を透過する薄型フィルタ（例えばＺｒ）の使用は、当該フィルタが壊れ易く、また、熱負荷閾値が低いため難しい。さらに、メッシュ上のフィルタに用いる接着剤は高真空システムには望ましくない。
【０００８】
[0008]  その全体を参考として本明細書に組み込む米国特許第６，４５６，３６２号には、ＥＵＶ放射リソグラフィ投影装置に使用するための導波管が開示される。
【０００９】
[0009]  その全体を参考として本明細書に組み込む米国特許第６，８０９，３２７号には、ＥＵＶ放射を含む放射スペクトルを発生するプラズマ源と、その放射スペクトルからＥＵＶ放射ビームを発生するリフレクタと、ＥＵＶ放射の少なくとも一部を通過させる薄膜とを含む装置が開示される。
【００１０】
[0010]  米国特許出願公開番号第２００６／０１４６４１３号には、アパーチャを含むスペクトルフィルタが記載される。一例では、第１波長が赤外線範囲内にあり、第２波長がＥＵＶ放射範囲内にある。一実施形態では、このスペクトルフィルタはスリット型の複数のアパーチャを含む。
【発明の概要】
【００１１】
[0011]  現行のスペクトルフィルタにある問題は、これらのフィルタはＥＵＶ放射源からの放射の方向を変えてしまうことである。したがって、スペクトルフィルタをＥＵＶ放射リソグラフィ装置から外した場合、交換用のスペクトルフィルタを追加しなくてはならないか、または、適切な角度にあるミラーを導入しなくてはならなくなる。追加されたミラーは、システムに不所望の損失をもたらしてしまう。
【００１２】
[0012]  ピンホールに比べてスペクトルフィルタにおいてスリットを用いる利点は、スリットはより簡単に製造でき、また、温度変化に対する耐性がより良好であることである。一実施形態では、スリットは、抑制されるべき波長を有する放射を反射する一方で、ＥＵＶ放射といった十分に低い波長を有する放射を透過させる。このために、スペクトルフィルタのスリットは、不所望の放射の波長の少なくとも２分の１の幅を有するべきである。偏光に依存する効果によって、本実施形態では、不所望の放射の一部しか反射されない。米国特許出願公開第２００６／０１４６４１３号からのスペクトルフィルタの実施形態では、不所望の放射は、回折と吸収の組み合わせによって減少される。不所望の放射は、比較的強力に回折され、続けて１回以上の内面反射後にスリット内で吸収される。所望の放射は、実質的にあまり回折されず、比較的弱められることなくフィルタを通過する。この実施形態の欠点は、放射が吸収されることによってフィルタが加熱されることである。
【００１３】
[0013]  例えば、不所望の放射の透過を更に減少することが望まれる。
【００１４】
[0014]  一態様では、リソグラフィスペクトルフィルタであって、
第１方向に配置された面内長さ寸法を有するスリットを含む第１フィルタ要素と、
第１および第２波長の放射の光路に沿って第１フィルタ要素に続く位置に配置された第２フィルタ要素であって、第１方向に対して横断する第２方向に配置された面内長さ寸法を有するスリットを含む、第２フィルタ要素と、
を含み、
スペクトルフィルタは、第１波長の放射は反射し、第２波長の放射は透過可能とするように構成され、第１波長は第２波長より大きい、リソグラフィスペクトルフィルタが提供される。
【００１５】
[0015]  更なる態様では、
放射ビームを調整するように構成された照明システムと、
放射ビームの断面にパターンを付与してパターン付き放射ビームを形成するパターニングデバイスを支持するように構成されたサポートと、
基板を保持するように構成された基板テーブルと、
パターン付き放射ビームを基板のターゲット部分上に投影するように構成された投影システムと、
リソグラフィスペクトルフィルタであって、
第１方向に配置された面内長さ寸法を有するスリットを含む第１フィルタ要素と、
第１および第２波長の放射の光路に沿って第１フィルタ要素に続く位置に配置された第２フィルタ要素であって、第１方向に対して横断する第２方向に配置された面内長さ寸法を有するスリットを含む、第２フィルタ要素と、
を含み、
スペクトルフィルタは、第１波長の放射は反射し、第２波長の放射は透過可能とするように構成され、第１波長は第２波長より大きい、リソグラフィスペクトルフィルタと、
を含む、リソグラフィ装置が提供される。
【００１６】
[0016]  一態様では、第１波長の放射を反射し、第２波長の放射はスペクトルフィルタアセンブリを透過可能とすることによって放射ビームのスペクトル純度を高める方法であって、第１波長は第２波長より大きく、第１ステップでは、第１偏光を有する第１波長の放射が反射され、第２ステップでは、第１偏光に対して横断する第２偏光を有する第１波長の放射が反射される、方法が提供される。
【００１７】
[0017]  一態様では、デバイス製造方法であって、
放射ビームを供給することと、
放射ビームにパターンを付けることと、
パターン付き放射ビームを基板のターゲット部分上に投影することと、
第１波長の放射を反射し、第２波長の放射はスペクトルフィルタアセンブリを透過可能とすることによって放射ビームのスペクトル純度を高めることと、
を含み、第１波長は第２波長より大きく、第１ステップでは、第１偏光を有する第１波長の放射が反射され、第２ステップでは、第１偏光に対して横断する第２偏光を有する第１波長の放射が反射される、方法が提供される。
【００１８】
[0018]  一態様では、方法によって製造されたデバイスであって、この方法は、
放射ビームを供給することと、
放射ビームにパターンを付けることと、
パターン付き放射ビームを基板上に投影することと、
パターン付き放射ビームを基板上に投影することと、
第１波長の放射を反射し、第２波長の放射はスペクトルフィルタアセンブリを透過可能とすることによって放射ビームのスペクトル純度を高めることと、
を含み、第１波長は第２波長より大きく、第１ステップでは、第１偏光を有する第１波長の放射が反射され、第２ステップでは、第１偏光に対して横断する第２偏光を有する第１波長の放射が反射される、デバイスが提供される。
【００１９】
[0019]  スペクトルフィルタ要素は、透過性ではない材料（例えば、金（Ａｕ）、銀（Ａｇ）、クロム（Ｃｒ）、アルミニウム（Ａｌ）、モリブデン（Ｍｏ）、ルテニウム（Ｒｕ）、またはステンレススチールといった金属である）のスラブから形成されてよい。第１スペクトルフィルタ要素におけるスリットは、第１方向を有する第１面内ベクトルを定める面内幅と、第２方向を有する第２面内ベクトルを定める、第１方向に対して横断する長さとを有する。第１および第２面内ベクトルは、材料スラブに平行である。第１（最小）面内スリット寸法は、第１面内ベクトルと平行であり、第２（最大）面内アパーチャ寸法は、第２面内ベクトルと平行である。
【００２０】
[0020]  最小面内スリット寸法（Ｗ１）は、回折限界より小さく、この回折限界（Ｗｍｉｎ）は、ターゲット成分を含むための媒体によって定義される。
Ｗｍｉｎ＝波長／（２＊ｎmedium）                                          （２）
このとき、λは真空内の波長であり、ｎmediumはスリットの前の媒体の屈折率である。
【００２１】
[0021]  回折限界未満の第１面内寸法Ｗ１と、回折限界超の第２面内寸法Ｗ２を有するスリットを用いると、第１面内ベクトルと、第１および第２面内ベクトルに垂直な第３ベクトルからなる透過面がありうる。スリットの透過面に直交する電界を有する放射であるＲ偏光入射放射は、スリットによって実質的に反射されることになる。スリットの透過面に平行な電界を有する放射であるＴ偏光入射放射は、スリットによって実質的に透過されることになる。
【００２２】
[0022]  Ｔ偏光放射は、表面プラズモン波の形で強化が生じるのでフィルタを透過すると考えられている。この効果は、比較的幅広のスリットが用いられる場合には生じない。
【００２３】
[0023]  本発明の一実施形態によるスペクトルフィルタでは、第２フィルタ要素は、第１方向に対して横断する第２方向に配置された面内長さ寸法を有する第１スリットを含む。したがって、第１フィルタ要素を通過する第１波長の不所望の放射は、この放射はＲ偏光放射、すなわち、第２フィルタ要素におけるスリットの透過面に直交する電界を有する放射であるので、第２フィルタ要素によって反射される。
【００２４】
[0024]  フィルタ要素は、スリット幅が回折限界より小さければ放射を反射する。スリットの幅は、０．０１λｒから０．５λｒの範囲から選択されることが望ましい。このとき、λｒは反射されるべき放射の最短波長である。スリットの幅が、例えば０．００５λｒである下限より大幅に小さい場合、スリットは、所望の放射も部分的に反射してしまう。幅が、例えば０．８λｒである上限より大幅に大きい場合、不所望の放射がスリットを透過してしまう。
【００２５】
[0025]  一実施形態では、リソグラフィスペクトルフィルタは、ＤＵＶ放射、ＵＶ放射、可視光放射、およびＩＲ放射の任意の組み合わせをフィルタリングするように構成される。ＩＲ放射を除いて、放射源は、可視範囲、ＵＶ範囲、およびＤＵＶ範囲における不所望の放射を生成しうる。したがって、１つ以上のこれらの追加の波長範囲における放射も抑制可能であることが望ましい。一実施形態では、このことは、第１および／または第２フィルタ要素のスリットの幅を、不所望の放射の最小波長の回折限界より小さい値に選択することによって実現される。
【００２６】
[0026]  全ての不所望の放射を反射によって抑制する代わりに、一部は吸収によって抑制されうる。このことは、例えば、第１および／または第２フィルタ要素がＥＵＶ放射導波管を更に含む実施形態において実現されうる。導波管が含まれる第１フィルタ要素の開口における回折によって、比較的大きい波長を有する放射が、比較的短い波長を有する所望の放射に比べて比較的大きい角度で回折される。大きい角度におけるこの回折によって、第１波長と第２波長との間の波長を有する放射が、第２波長またはそれより小さい波長を有する所望の放射と比べて、導波管の内壁に対して比較的大きい角度で導波管内で反射される。したがって、第１波長と第２波長との間の波長を有する放射は、所望の放射よりも導波管を通過するために高い回数の反射が必要となる。所望の放射は、比較的弱められることなくＥＵＶ放射導波管を透過させられる。
【００２７】
[0027]  一実施形態では、導波管は、第１波長と第２波長との間の波長範囲における放射を吸収可能な材料から作られる。本実施形態では、第１波長と第２波長との間の波長を有する不所望の放射は、同じ長さの導波管によって一層良好に抑制される。より短い長さの導波管を選択することによって、所望の放射の透過を向上できる一方で、導波管における不所望の放射の同じ吸収が維持される。フィルタ要素におけるスリットは、そのフィルタ要素が十分な厚さを有すれば、既に導波管を形成しうる。例えば、スリットは少なくとも２である深さ／幅比を有してよい。この深さ／幅比は、例えば５であるように１０未満であることが望ましい。例えば２０である実質的に高い深さ／幅比は、所望の放射を激しく減少し過ぎ、また、製造することが難しい。
【００２８】
[0028]  スペクトルフィルタリング効果は、第１および／または第２フィルタ要素が単一のスリットを有する場合に達成されうるが、１つ以上のフィルタ要素が複数のスリットを有することが有利である。こうすると、放射ビームの大部分または全体をフィルタリングしてそれにより所望の放射の透過を向上できる。
【００２９】
[0029]  リソグラフィスペクトルフィルタの一実施形態では、第１フィルタ要素のスリットによって形成される面積と、第１フィルタ要素の総表面積とで形成されるアスペクト比は、約５０％より小さく、約３０％より小さく、または約１５％より小さい。
【００３０】
[0030]  リソグラフィスペクトルフィルタの一実施形態では、第２フィルタ要素のスリットによって形成される面積と、第１フィルタ要素の総表面積とで形成されるアスペクト比は、約５０％より小さく、約３０％より小さく、または約１５％より小さい。
【００３１】
[0031]  所望の放射に対するフィルタの透過率のためには高いアスペクト比が好適である。
【００３２】
[0032]  第１波長と第２波長との間の範囲における波長を有する放射が吸収される場合、第１波長を有する放射のみが反射されれば十分である。実際の適用では、不所望の放射は、レーザ生成プラズマＥＵＶ放射源のＣＯ２レーザ源によって発生される約１０μｍの波長を有する赤外線放射である。この範囲における放射は、第１および／または第２フィルタ要素のスリットが０．５〜５μｍの範囲から選択される幅を有するリソグラフィスペクトルフィルタを用いて効果的に反射されうる。可視範囲、近または深ＵＶ範囲における更なる放射は、例えば、上述したように導波管、または、例えばＳｉ３Ｎ４フィルタである別のパターン無しタイプの吸収フィルタにおける吸収によって除去されうる。このような更なる放射を抑制するための機構は、放射源がそのような更なる放射を実質的に発生しない場合、および／または、そのような更なる放射がリソグラフィスペクトルフィルタを用いる用途において不利益ではない場合にはなくてもよい。
【００３３】
[0033]  スペクトルフィルタは、リソグラフィ装置内のコレクタの背後に位置決めされてよい。
【００３４】
[0034]  少なくとも１つのかすめ入射フィルタがリソグラフィ装置内にあってもよい。
【００３５】
[0035]  製造されるデバイスは、集積回路、集積光学システム、磁気ドメインメモリ用のガイダンスおよび検出パターン、液晶ディスプレイ、および薄膜磁気ヘッドであってよい。
【図面の簡単な説明】
【００３６】
[0036]  本発明のいくつかの実施形態を、単なる例として、添付の概略図を参照して以下に説明する。これらの図面において同じ参照符号は対応する部分を示す。
【図１】[0037]  図１は、本発明の一実施形態によるリソグラフィ装置を示す。
【図２】[0038]  図２は、本発明の一実施形態によるリソグラフィ装置を示す。
【図３】[0039]  図３は、本発明の一実施形態によるリソグラフィスペクトル純度フィルタを示す。
【図４】[0040]  図４は、本発明の一実施形態によるリソグラフィスペクトル純度フィルタを示す。
【図５】[0041]  図５は、本発明の一実施形態によるリソグラフィスペクトル純度フィルタにおけるフィルタ要素を示す。
【図６】[0042]  図６は、本発明の一実施形態によるリソグラフィスペクトル純度フィルタにおけるフィルタ要素を示す。
【発明を実施するための形態】
【００３７】
[0043]  本発明の実施形態の十分な理解を与えるために、以下の詳細な説明では、多数の具体的な詳細を記載する。しかし、当業者であれば、本発明はこれらの特定の詳細がなくとも実施されうることは理解されよう。また、場合によって、周知の方法、手順、およびコンポーネントは本発明の特徴を曖昧にしないように詳細には記載していない。
【００３８】
[0044]  図１は、本発明の一実施形態によるリソグラフィ装置を概略的に示している。このリソグラフィ装置は、
‐放射ビームＢ（例えばＵＶ放射またはＥＵＶ放射）を調整するように構成された照明システム（イルミネータ）ＩＬと、
‐パターニングデバイス（例えばマスク）ＭＡを支持するように構成され、かつ特定のパラメータに従ってパターニングデバイスを正確に位置決めするように構成された第１ポジショナＰＭに連結されたサポート構造（例えばマスクテーブル）ＭＴと、
‐基板（例えばレジストコートウェーハ）Ｗを保持するように構成され、かつ特定のパラメータに従って基板を正確に位置決めするように構成された第２ポジショナＰＷに連結された基板テーブル（例えばウェーハテーブル）ＷＴと、
‐パターニングデバイスＭＡによって放射ビームＢに付けられたパターンを基板Ｗのターゲット部分Ｃ（例えば１つ以上のダイを含む）上に投影するように構成された投影システム（例えば屈折投影レンズシステム）ＰＳとを含む。
【００３９】
[0045]  照明システムとしては、放射を誘導し、整形し、または制御するために、屈折型、反射型、磁気型、電磁型、静電型、またはその他のタイプの光コンポーネント、あるいはそれらのあらゆる組合せなどのさまざまなタイプの光コンポーネントを含むことができる。
【００４０】
[0046]  サポート構造ＭＴは、パターニングデバイスの向き、リソグラフィ装置の設計、および、パターニングデバイスが真空環境内で保持されているか否かなどの他の条件に応じた態様で、パターニングデバイスを保持する。サポート構造ＭＴは、機械式、真空式、静電式またはその他のクランプ技術を使って、パターニングデバイスを保持することができる。サポート構造ＭＴは、例えば、必要に応じて固定または可動式にすることができるフレームまたはテーブルであってもよい。サポート構造ＭＴは、パターニングデバイスを、例えば、投影システムに対して所望の位置に確実に置くことができる。本明細書において使用される「レチクル」または「マスク」という用語はすべて、より一般的な「パターニングデバイス」という用語と同義であると考えるとよい。
【００４１】
[0047]  本明細書において使用される「パターニングデバイス」という用語は、基板のターゲット部分内にパターンを作り出すように、放射ビームの断面にパターンを与えるために使用できるあらゆるデバイスを指していると、広く解釈されるべきである。なお、留意すべき点として、放射ビームに付与されたパターンは、例えば、そのパターンが位相シフトフィーチャまたはいわゆるアシストフィーチャを含む場合、基板のターゲット部分内の所望のパターンに正確に一致しない場合もある。通常、放射ビームに付与されたパターンは、集積回路などのターゲット部分内に作り出されるデバイス内の特定の機能層に対応することになる。
【００４２】
[0048]  パターニングデバイスは、透過型であっても、反射型であってもよい。パターニングデバイスの例としては、マスク、プログラマブルミラーアレイ、およびプログラマブルＬＣＤパネルが含まれる。マスクは、リソグラフィでは公知であり、バイナリ、レベンソン型（alternating）位相シフト、およびハーフトーン型（attenuated）位相シフトなどのマスク型、ならびに種々のハイブリッドマスク型を含む。プログラマブルミラーアレイの一例では、小型ミラーのマトリックス配列が用いられており、各小型ミラーは、入射する放射ビームを様々な方向に反射させるように、個別に傾斜させることができる。傾斜されたミラーは、ミラーマトリックスによって反射される放射ビームにパターンを付ける。
【００４３】
[0049]  本明細書において使用される「投影システム」という用語は、使われている露光放射に、または液浸液の使用もしくは真空の使用といった他の要因に適切な、屈折型、反射型、反射屈折型、磁気型、電磁型、および静電型光学系、またはそれらのあらゆる組合せを含むあらゆる型の投影システムを包含していると広く解釈されるべきである。本明細書において使用される「投影レンズ」という用語はすべて、より一般的な「投影システム」という用語と同義であると考えるとよい。
【００４４】
[0050]  本明細書に示されているとおり、リソグラフィ装置は、反射型のもの（例えば反射型マスクを採用しているもの）である。また、リソグラフィ装置は、透過型のもの（例えば透過型マスクを採用しているもの）であってもよい。
【００４５】
[0051]  リソグラフィ装置は、２つ（デュアルステージ）以上の基板テーブル（および／または２つ以上のパターニングデバイスサポート構造）を有する型のものであってもよい。そのような「マルチステージ」機械においては、追加のテーブルおよび／またはサポート構造は並行して使うことができ、または予備工程を１つ以上のテーブルおよび／またはサポート構造上で実行しつつ、別の１つ以上のテーブルおよび／またはサポート構造を露光用に使うこともできる。
【００４６】
[0052]  また、リソグラフィ装置は、投影システムと基板との間の空間を満たすように、比較的高い屈折率を有する液体（例えば水）によって基板の少なくとも一部を覆うことができる型であってもよい。また、リソグラフィ装置内の別の空間（例えばマスクと投影システムとの間）に液浸液を加えてもよい。液浸技術は、投影システムの開口数を増加させることで、当該技術分野において周知である。本明細書において使用される「液浸」という用語は、基板のような構造物を液体内に沈めなければならないという意味ではなく、単に、露光中、投影システムと基板との間に液体があるということを意味するものである。
【００４７】
[0053]  図１を参照すると、イルミネータＩＬは、放射源ＳＯから放射ビームを受ける。例えば、放射源がエキシマレーザである場合、放射源とリソグラフィ装置は、別個の構成要素であってもよい。そのような場合には、放射源は、リソグラフィ装置の一部を形成しているとはみなされず、また放射は、放射源ＳＯからイルミネータＩＬへ、例えば、適切な誘導ミラーおよび／またはビームエキスパンダを含むビームデリバリシステムを使って送られる。その他の場合、例えば、放射源が水銀ランプである場合、放射源は、リソグラフィ装置の一体部分とすることもできる。放射源ＳＯおよびイルミネータＩＬは、必要ならばビームデリバリシステムとともに、放射システムと呼んでもよい。
【００４８】
[0054]  イルミネータＩＬは、放射ビームの角強度分布を調節するアジャスタを含むことができる。一般に、イルミネータの瞳面内の強度分布の少なくとも外側および／または内側半径範囲（通常、それぞれσ-outerおよびσ-innerと呼ばれる）を調節することができる。さらに、イルミネータＩＬは、インテグレータおよびコンデンサといったさまざまな他のコンポーネントを含むことができる。イルミネータを使って放射ビームを調整すれば、放射ビームの断面に所望の均一性および強度分布をもたせることができる。
【００４９】
[0055]  放射ビームＢは、サポート構造（例えばマスクテーブル）ＭＴ上に保持されているパターニングデバイス（例えばマスク）ＭＡ上に入射して、パターニングデバイスによってパターン形成される。パターニングデバイスＭＡを通り抜けた後、放射ビームＢは投影システムＰＳを通過し、投影システムＰＳは、基板Ｗのターゲット部分Ｃ上にビームの焦点を合わせる。第２ポジショナＰＷおよび位置センサＩＦ２（例えば、干渉計デバイス、リニアエンコーダ、または静電容量センサ）を使って、例えば、さまざまなターゲット部分Ｃを放射ビームＢの経路内に位置決めするように、基板テーブルＷＴを正確に動かすことができる。同様に、第１ポジショナＰＭおよび別の位置センサＩＦ１を使い、例えば、マスクライブラリから機械的に取り出した後またはスキャン中に、パターニングデバイスＭＡを放射ビームＢの経路に対して正確に位置決めすることもできる。通常、パターニングデバイスサポート構造ＭＴの移動は、第１ポジショナＰＭの一部を形成するロングストロークモジュール（粗動位置決め）およびショートストロークモジュール（微動位置決め）を使って達成することができる。同様に、基板テーブルＷＴの移動も、第２ポジショナＰＷの一部を形成するロングストロークモジュールおよびショートストロークモジュールを使って達成することができる。ステッパの場合は（スキャナとは対照的に）、パターニングデバイスサポート構造ＭＴは、ショートストロークアクチュエータのみに連結されてもよく、または固定されてもよい。パターニングデバイスＭＡおよび基板Ｗは、パターニングデバイスアライメントマークＭ１、Ｍ２と、基板アライメントマークＰ１、Ｐ２とを使って、位置合わせされてもよい。例示では基板アライメントマークが専用ターゲット部分を占めているが、基板アライメントマークをターゲット部分とターゲット部分との間の空間内に置くこともできる（これらは、スクライブラインアライメントマークとして公知である）。同様に、複数のダイがパターニングデバイスＭＡ上に設けられている場合、パターニングデバイスアライメントマークは、ダイとダイの間に置かれてもよい。
【００５０】
[0056]  例示の装置は、以下に説明するモードのうち少なくとも１つのモードで使用できる。
【００５１】
[0057]  １．ステップモードにおいては、パターニングデバイスサポート構造ＭＴおよび基板テーブルＷＴを基本的に静止状態に保ちつつ、放射ビームに付けられたパターン全体を一度にターゲット部分Ｃ上に投影する（すなわち、単一静的露光）。その後、基板テーブルＷＴは、Ｘおよび／またはＹ方向に移動され、それによって別のターゲット部分Ｃを露光することができる。ステップモードにおいては、露光フィールドの最大サイズによって、単一静的露光時に結像されるターゲット部分Ｃのサイズが限定される。
【００５２】
[0058]  ２．スキャンモードにおいては、パターニングデバイスサポート構造ＭＴおよび基板テーブルＷＴを同期的にスキャンする一方で、放射ビームに付けられたパターンをターゲット部分Ｃ上に投影する（すなわち、単一動的露光）。パターニングデバイスサポート構造ＭＴに対する基板テーブルＷＴの速度および方向は、投影システムＰＳの（縮小）拡大率および像反転特性によって決めることができる。スキャンモードにおいては、露光フィールドの最大サイズよって、単一動的露光時のターゲット部分の幅（非スキャン方向）が限定される一方、スキャン動作の長さによって、ターゲット部分の高さ（スキャン方向）が決まる。
【００５３】
[0059]  ３．別のモードにおいては、プログラマブルパターニングデバイスを保持した状態で、パターニングデバイスサポート構造ＭＴを基本的に静止状態に保ち、また基板テーブルＷＴを動かす、またはスキャンする一方で、放射ビームに付けられているパターンをターゲット部分Ｃ上に投影する。このモードにおいては、通常、パルス放射源が採用されており、さらにプログラマブルパターニングデバイスは、基板テーブルＷＴの移動後ごとに、またはスキャン中の連続する放射パルスと放射パルスとの間に、必要に応じて更新される。この動作モードは、前述の型のプログラマブルミラーアレイといったプログラマブルパターニングデバイスを利用するマスクレスリソグラフィに容易に適用することができる。
【００５４】
[0060]  上述の使用モードの組合せおよび／またはバリエーション、あるいは完全に異なる使用モードもまた採用可能である。
【００５５】
[0061]  図２は、本発明の一実施形態によるＥＵＶ放射リソグラフィ装置の側面図を示す。なお、この配置は図１に示す装置の配置とは異なるが動作原理は同様である。このリソグラフィ装置は、放射ユニット３（例えばソース‐コレクタモジュール）、照明システムＩＬ、および投影システムＰＬを含む。放射ユニット３には、ＸｅガスまたはＬｉ蒸気といったガスまたは蒸気を用いうる放射源ＬＡが設けられ、このガスまたは蒸気内では、非常に高温の放電プラズマが生成されてＥＵＶ放射範囲の放射が放出される。放電プラズマは、放電の部分的にイオン化されたプラズマを光軸Ｏ上で崩壊させることによって生成される。０．１ｍｂａｒの分圧のＸｅガスまたはＬｉ蒸気または任意の他の好適なガスまたは蒸気を放射の効率のよい発生に用いてよい。放射源ＬＡから放出される放射は、放射源チャンバ７からコレクタチャンバ８へと、ガスバリアまたはフォイルトラップ９を介して渡される。フォイルトラップは、例えば、その全体を参考として本明細書に組み込む米国特許第６，６１４，５０５号および第６，３５９，９６９号に詳述されるようなチャネル構造を含んでもよい。コレクタチャンバ８は、例えば、かすめ入射コレクタによって形成される放射コレクタ１０を含む。コレクタ１０によって渡される放射は、本発明の一実施形態によるスペクトルフィルタ１１を通過する。ブレーズドスペクトルフィルタとは対照的にスペクトルフィルタ１１は、放射ビームの方向を実質的に変化させないことに留意されたい。図示しない一実施形態では、スペクトルフィルタ１１はかすめ入射ミラーの形でまたはコレクタ１０上で実施されうるので、スペクトルフィルタ１１は放射ビームを反射しうる。放射は、集光チャンバ８におけるアパーチャにおいて又はその付近の仮想放射源点１２（すなわち中間集光点）内に集束される。チャンバ８から放射ビーム１６は、照明システムＩＬ内で、法線入射リフレクタ１３、１４を介して、パターニングデバイスサポート構造ＭＴ上のパターニングデバイス上に反射される。パターン付きビーム１７が形成され、このビームは、投影システムＰＬによって反射要素１８、１９を介して基板テーブルＷＴ上に結像される。通常、図示するよりも多い又少ない要素が照明システムＩＬおよび／または投影システムＰＬ内に存在しうる。
【００５６】
[0062]  反射要素のうちのひとつの反射要素１９は、その前に開口数ディスク２０を有し、このディスクはアパーチャ２１を有する。アパーチャ２１のサイズが、パターン付き放射ビーム１７が基板テーブルＷＴに当る際にパターン付き放射ビーム１７がなす角度αｉを決定する。
【００５７】
[0063]  図２は、コレクタ１０の下流に且つ仮想放射源点１２の上流に位置決めされた本発明の一実施形態によるスペクトルフィルタ１１を示す。図示しない一実施形態では、スペクトルフィルタ１１は、仮想放射源点１２に、または、コレクタ１０と仮想放射源点１２との間の任意の場所に位置決めされてよい。
【００５８】
[0064]  図３は、光軸１０３に沿って続いて生じる位置（連続する位置）で横断するように配置された少なくとも第１フィルタ要素１０１および第２フィルタ要素１０２を含むリソグラフィスペクトルフィルタ１００の一実施形態を示す。
【００５９】
[0065]  第１フィルタ要素１０１は、第１方向に配置された第１スリット１０４を含む。このスリット１０４は、回折限界未満の第１面内寸法Ｗ１と、回折限界を超える第２面内寸法Ｗ２を有する。この第１面内寸法は、幅（例えば直径）を定め、第２面内寸法は、長さを定める。第２フィルタ要素１０２は、第１方向に対して横断する第２方向に配置される第１スリット１０５を含む。同様に、第２スリット１０５も、回折限界未満の第１面内寸法Ｗ１と、回折限界を超える第２面内寸法Ｗ２を有する。この第１面内寸法は、幅（例えば直径）を定め、第２面内寸法は、長さを定める。スペクトルフィルタ１００は、第１波長の放射を反射し、第２波長の放射を透過可能とすることによって放射ビームのスペクトル純度を高めるよう構成される。このとき第１波長は第２波長より大きい。一例として、第１波長は、例えば１０．６μｍのように５〜１５μｍの範囲内にあり、第２波長は、４〜５０ｎｍの範囲内、例えば１３．５ｎｍのように４〜１５ｎｍの範囲内にある。本実施例では、スリット１０４、１０５は、０．５〜２μｍの範囲の幅と、例えば０．５〜１０ｃｍの長さを有する。第１フィルタ要素は、第１方向に平行な電界ベクトルを用いて、不所望の放射の偏光成分を反射する。第２フィルタ要素は、第２方向に平行な電界ベクトルを用いて、不所望の放射の偏光成分を反射する。スペクトルフィルタ要素１０１、１０２、特に、スペクトルフィルタ要素１０１、１０２の隣接するスリットアパーチャは金属により与えられることが望ましい。金属アパーチャに関して反射特性が好都合であり、また、熱伝導率も好都合である。スリットは１〜１０００μｍの範囲の深さを有してよい。
【００６０】
[0066]  図４は、スペクトルフィルタ２００の更なる実施形態を示す。図３における部分に対応する部分は、図３におけるよりも１００大きい参照番号を有する。図４の実施形態では、第１フィルタ要素２０１は複数のスリット２０４を含む。第１フィルタ要素２０１のこれらのスリット２０４によって形成される面積と、第１フィルタ要素２０１の残りの表面積とのアスペクト比は約３０％より大きい。同様に、第２フィルタ要素２０２も複数のスリット２０５を含む。第２フィルタ要素２０２のこれらのスリット２０５によって形成される面積と、第２フィルタ要素２０２の残りの表面積とのアスペクト比は、約３０％より大きい。
【００６１】
[0067]  図５は、スペクトルフィルタ３００の機械的強度を増加するためにパターン付き層とパターン無し層の組み合わせを有するフィルタ要素３０１を示す。図５では、図３における部分に対応する部分は、図３におけるよりも２００大きい参照番号を有する。図５では、矢印はＥＵＶ放射の方向を示す。図５に示すようなパターン付き層３０２とパターン無し層３０８の組み合わせは、スペクトルフィルタ３００の機械的強度を増加する。スリット３０４は、パターン付き層３０２内に形成される。なお、パターン付き層３０２とパターン無し層３０８を用いることによって、スリット３０４のパターンは、赤外線（ＩＲ）といった長波長を抑制するために用いることができる一方で、パターン無し層は、ＵＶ波長を抑制するために用いることができることに留意されたい。
【００６２】
[0068]  本実施形態では、パターン付き層３０２は、パターン無し層３０８の基板／サポートとして機能する。さらに、スペクトルフィルタは、パターン無しフィルタとパターン付きフィルタのカスケードとして機能する。したがって、抑制は、十分にまばらにパターンが付けられた層に対して、ＥＵＶ放射透過においてわずかな減少しか有さないパターン無しフィルタの抑制よりも良好である。パターン付きフィルタによる抑制は形状効果であって、波長の増加に伴って向上される。したがって、パターン付きおよびパターン無し層／スタックの組み合わせは、パターン無し層／スタックよりも赤外線抑制の可能性が高い。赤外線波長を抑制するために、スリット３０４は、約１μｍの幅を有することができる。パターン無し層３０８の厚さは約５０〜１００ｎｍであってよく、パターン付き層３０２の厚さは、導波管効果が用いられているか否かに依存して約１〜１０００μｍの間で変動しうる。
【００６３】
[0069]  したがって、パターン無し層とパターン付き層を用いることによって、パターン無し（例えば薄型スラブ）またはパターン付き（例えば図３および図４に示すようなスペクトルフィルタ）層のみを有するスペクトルフィルタと比べて機械的強度が向上される。
【００６４】
[0070]  図５に示すスペクトルフィルタの強度が向上されたことにより、パターン無し層の厚さを減少することができ、このことは結果としてＥＵＶ放射透過を向上させる。厚さは、約５０〜１００ｎｍに減少されてよい。一例として、Ｓｉ３Ｎ４スタックを用いて、パターン無しＳｉ３Ｎ４層の厚さを５０ｎｍに減少すると、６５％のＥＵＶ放射透過と、依然として１．６％であるＤＵＶ透過（１５７ｎｍの波長）をもたらす。パターン無しおよびパターン付き層は共にスペクトルフィルタとして機能するので、スペクトルフィルタの光学性能が向上される。図５に示すような実施例は、第１フィルタ要素もしくは第２フィルタ要素、または両方に適用されてよい。
【００６５】
[0071]  図６に、スペクトルフィルタ要素の更なる実施形態を示す。図３における部分に対応する図６の部分は、図３におけるよりも３００大きい参照番号を有する。図６におけるスペクトルフィルタ要素４０１は、真空空間の両側にあるクラッディング４０９によって形成されるＥＵＶ放射導波管に接続されるスリット４０４を含む。図６に示すように、スリット４０４の背後にある導波管は、アパーチャ４０４自体と同じ幅である。スリット４０４より小さい／大きい幅を有する導波管を用いることも可能であるが、スリット４０４より小さい／大きい幅を有する導波管を用いると、不所望の波長の大幅／小幅の抑制となり、さらに、ＥＵＶ放射の小さい／大きい透過となる。
【００６６】
[0072]  したがって、図６に示すスペクトルフィルタ要素４０１は、導波管を形成する２つのクラッディング層４０９に挟まれた真空薄層からなる３層スタックである。
【００６７】
[0073]  スペクトルフィルタ要素４０１が正常に動作するためには、導波管の材料は、スペクトルフィルタを用いて抑制したい波長を吸収するものであるべきである。ＥＵＶ放射透過のための材料に関して特定の要件はない。一例として、ＤＵＶ波長を抑制するために用いられるフィルタには、Ｓｉ３Ｎ４が、１５０ｎｍの波長に対して−４００ｄＢ／ｃｍであるＤＵＶに対する高い吸収を有するので、良好な候補材料である。
【００６８】
[0074]  単一のスリットでは、厚さは原則的に無限であることが可能である。スリット／ピンホールのアレイでは、厚さは、隣接するピンホール／スリットにおける放射間の光結合を回避するために吸収クラッディング材料における放射の減衰長より大きいことが望ましく、これは、十分に吸収する材料に対して数１００ｎｍのオーダである。
【００６９】
[0075]  図６は、スペクトルフィルタ要素４０１の動作原理を表し、このスペクトルフィルタ要素４０１では、ＥＵＶ放射は導波管に沿って進行し、ＵＶ放射は導波管のクラッディング４０９を透過する。偏光を有するＩＲ放射は反射される。スペクトルフィルタ要素４０１の波長選択性は、大きい入射グレージング角に対して真空界面における反射が減少することと組み合わされた入射アパーチャにおける波長選択性回折によるものである。回折の理論からは、細いアパーチャ（例えばピンホール／スリット）における回折による発散角は、波長／幅比に比例する。したがって、真空‐クラッディング界面では、大きい波長が、小さい波長よりも真空‐クラッディング界面に対して大きいグレージング角を有する。ブルースター（Brewster）角より小さいグレージング角といった場合、界面におけるフレネル（Fresnel）反射がグレージング角が大きくなるに従って減少し、また、導波管内の単位伝搬長あたりの反射回数がグレージング角が大きくなるに従って増加する。したがって、スペクトルフィルタの透過は波長が増加すると減少することが分かる。
【００７０】
[0076]  図４に示すスペクトルフィルタ要素２０１のパターンは、本実施形態では、様々なスリット幅で用いてもよい。図６に示すスリットは、約１μｍの幅を有し、この幅は、ＥＵＶ放射より大きい波長を有する放射を抑制するために用いられる導波管でも維持されることが望ましい。スペクトルフィルタの性能は、スリットの幅と導波管の長さを変えることによって向上させることができる。
【００７１】
[0077]  通常、アパーチャの幅は約１μｍである。一例として、ある長さを有する１μｍの幅を有するスリットと、±７°の現実的な角発散を有する入力ビームに対する透過を考慮する。導波管に沿って１５０μｍ伝搬した後、ＥＵＶ放射透過は５０％である一方で、ＥＵＶ放射に対するＵＶ抑制は−１０ｄＢよりも良好である。
【００７２】
[0078]  実際には、リソグラフィ装置の中間集光点における像は１０ｍｍのオーダの幅（直径）を有することを考慮すると、アパーチャのアレイ、例えば周期アレイを用いてＥＵＶ放射の伝搬損失を低減すべきであることが分かる。
【００７３】
[0079]  スリットおよび／またはピンホールのアレイを含むスペクトルフィルタ要素の総透過性は、スペクトルフィルタの透過面積と非透過面積との比率によって決定される。一例として、１スリットあたり−３ｄＢ（５０％）のＥＵＶ放射透過を有する、１５０μｍの長さを有する１μｍの幅のスリットを考慮する。この場合、スペクトルフィルタ面積の８０％が透過性であり、総透過は４０％となる。したがって、第１および第２フィルタ要素を含むスペクトルフィルタの透過は１６％である。
【００７４】
[0080]  上述したように、スペクトルフィルタは、既知のリソグラフィおよび／または微細機械加工技術によって製造することができる。一例として、Ｓｉ３Ｎ４層をその上に有するＳｉ基板を用いてよい。Ｓｉ基板の裏側からＳｉ３Ｎ４層までエッチングすることにより、パターン付き層を作ることができる。パターン付き層およびパターン無し層は、同一の材料から形成されても、別個に形成されて後から互いに取り付けられてもよい。
【００７５】
[0081]  上述したスペクトルフィルタは、任意の好適なタイプのリソグラフィ装置に用いてよい。さらに、このスペクトルフィルタは、リソグラフィ装置内の少なくとも１つのかすめ入射ミラーと組み合わせて用いてもよい。
【００７６】
[0082]  本明細書において、ＩＣ製造におけるリソグラフィ装置の使用について具体的な言及がなされているが、本明細書記載のリソグラフィ装置が、集積光学システム、磁気ドメインメモリ用のガイダンスパターンおよび検出パターン、フラットパネルディスプレイ、液晶ディスプレイ（ＬＣＤ）、薄膜磁気ヘッド等の製造といった他の用途を有し得ることが理解されるべきである。当業者にとっては当然のことであるが、そのような別の用途においては、本明細書で使用される「ウェーハ」または「ダイ」という用語はすべて、それぞれより一般的な「基板」または「ターゲット部分」という用語と同義であるとみなしてよい。本明細書に記載した基板は、露光の前後を問わず、例えば、トラック（通常、基板にレジスト層を塗布し、かつ露光されたレジストを現像するツール）、メトロロジーツール、および／またはインスペクションツールで処理されてもよい。適用可能な場合には、本明細書中の開示内容を上記のような基板プロセシングツールおよびその他の基板プロセシングツールに適用してもよい。さらに基板は、例えば、多層ＩＣを作るために複数回処理されてもよいので、本明細書で使用される基板という用語は、すでに多重処理層を包含している基板を表すものとしてもよい。
【００７７】
[0083]  上記の説明は、制限ではなく例示を意図したものである。したがって、添付の特許請求の範囲を逸脱することなく本記載の発明に変更を加えてもよいことは理解すべきである。
【００７８】
[0084]  光リソグラフィの関連での本発明の実施形態の使用について上述のとおり具体的な言及がなされたが、当然のことながら、本発明は、他の用途、例えば、インプリントリソグラフィに使われてもよく、さらに状況が許すのであれば、光リソグラフィに限定されることはない。インプリントリソグラフィにおいては、パターニングデバイス内のトポグラフィによって、基板上に創出されるパターンが定義される。パターニングデバイスのトポグラフィは、基板に供給されたレジスト層の中にプレス加工され、基板上では、電磁放射、熱、圧力、またはそれらの組合せによってレジストは硬化される。パターニングデバイスは、レジストが硬化した後、レジスト内にパターンを残してレジストの外へ移動される。
【００７９】
[0085]  本明細書で使用される「放射」および「ビーム」という用語は、紫外線（ＵＶ）（例えば、３６５ｎｍ、３５５ｎｍ、２４８ｎｍ、１９３ｎｍ、１５７ｎｍ、または１２６ｎｍの波長、またはおよそこれらの値の波長を有する）、Ｘ線、および極端紫外線（ＥＵＶ）（例えば、５〜２０ｎｍの範囲の波長を有する）、ならびにイオンビームや電子ビームなどの微粒子ビームを含むあらゆる種類の電磁放射を包含している。
【００８０】
[0086]  「レンズ」という用語は、文脈によっては、屈折、反射、磁気、電磁気、および静電型光コンポーネントを含む様々な種類の光コンポーネントのいずれか１つまたはこれらの組合せを指すことができる。
【００８１】
[0087]  特許請求の範囲において、「含む」という用語は他の要素またはステップを排除するものではなく、単数形で示されるものもそれが複数存在することを排除するものではない。単一のコンポーネントまたは他のユニットが、請求項に記載する幾つかの事項の機能を満たすこともある。特定の手段が相互に異なる請求項に記載されるという単なる事実は、これらの手段の組み合わせを有利に用いることができないということを示すものではない。特許請求の範囲における任意の参照符号は範囲を限定すると解釈すべきではない。
【図１】
2010541234.tif 000004
【図２】
2010541234.tif 000005
【図３】
2010541234.tif 000006
【図４】
2010541234.tif 000007
【図５】
2010541234.tif 000008
【図６】
2010541234.tif 000009
【国際調査報告】
2010541234.tif 000010
2010541234.tif 000011